(57)【特許請求の範囲】
【請求項１】
絶縁ハウジング（４）、該ハウジングの多数のプラグ受容キャビティ（３）内を延びる電気コンタクト（２）、及び前記ハウジングを包囲する導電性外側シェル（６）を有するシールド型電気コネクタにおいて、
前方に突出する片持ち梁状のばね指（３１）を有する導電性の第２のシェル（７）が前記ハウジング（４）内に後方から挿入されて固定され、電気シールドを提供するために前記外側シェル（６）と係合し、
前記第２のシェル（７）の前記ばね指（３１）は、前記プラグ受容キャビティ（３）内に受容されるプラグ型電気コネクタ（８）に係合されるためにプラグ受容キャビティ（３）の各々の内部を前方へ延びることを特徴とするシールド型電気コネクタ。
【請求項２】
前記第２のシェル（７）は前記ハウジング（４）の隔壁（１１）に沿って摺動して取り付け固定され、前記隔壁（１１）は前記プラグ受容キャビティ（３）間に位置し、前記第２のシェル（７）が前記隔壁（１１）の両側に沿って位置決めされることを特徴とする請求項１のシールド型電気コネクタ。
【請求項３】
前記プラグ受容キャビティ（３）内に前記電気コンタクト（２）が置かれ、前記プラグ受容キャビティ（３）に受容されるプラグ型電気コネクタ（８）は、前記第２のシェル（７）の前記ばね指（３１）及び前記外側シェル（６）のばね指（４６）に係合接続され、更に前記電気コンタクト（２）に係合接続されることを特徴とする請求項１のシールド型電気コネクタ（１）。
【請求項４】
前記第２のシェル（７）上の離間したプレート（２４）は、前記ハウジング（４）内の離間したスロット（２８）内に摺動して係合固定され、前記第２のシェルのウエブ（２６）が前記プレート（２４）の横方向に延び、前記ウエブが前記ハウジング（４）の凹部（４８）を橋渡しするように延び、前記外側シェル（６）のばね指（４９）が前記凹部（４８）内に突出し、前記ウエブ（２６）に係合接続されることを特徴とする請求項１のシールド型電気コネクタ（１）。
【請求項５】
前記プラグ受容キャビティの各々の隔壁（１２）が前記プラグ受容キャビティの各々をシェル受容部（１３）とコンタクト受容部（１４）とに分離することを特徴とする請求項１乃至４の一つのシールド型電気コネクタ（１）。
【請求項６】
前記外側シェルの第１のばね指（４６）は前記プラグ受容キャビティ（３）の前記コンタクト受容部（１４）内に延びることを特徴とする請求項５のシールド型電気コネクタ（１）。
【請求項７】
前記外側シェルの第２のばね指（４９）は前記第２のシェル（７）に係合接続されて電気的相互接続が行われることを特徴とする請求項１乃至６の一つのシールド型電気コネクタ（１）。
【発明の詳細な説明】
【技術分野】
本発明はシールド型電気コネクタ、特に絶縁ハウジングを包囲するシールドシェルを有するシールド型電気コネクタに関する。
【背景技術】
米国特許第５，１６１，９９９号及び米国特許第５，１６７，５３１号には、プラグ型電気コネクタに接続されるための２つの電気ヘッダを有するシールド型コネクタ組立体を開示する。２つのシェルはシールドを提供するためにそれぞれのヘッダを包囲する。ヘッダ及び２つのシェルは導電性ブラケットに取り付けられる。第３のシェルはブラケットに取り付けられ、各ヘッダの後側を包囲する。このコネクタ組立体は、取付ブラケット、２つのヘッダ、それぞれのヘッダを包囲する２つのシェル、及び第３のシェルを含む比較的多数の別体部品のために比較的大型となる。多数のプラグ受容キャビティを含む電気コネクタにして、各プラグ受容キャビティがシールドに包囲され、小型寸法を実現するために別体部品の数を減らしたコネクタを提供することが望ましい。
米国特許第５，３８７，１１４号は絶縁ハウジングを包囲する導電性の外側シェル、及びその外側シェルに係合する導電性を有する第２のシェルを有する。電気コンタクトはハウジング内のそれぞれのキャビティ内に受容される。第２のシェルはハウジングのスロットに沿って延び、そのスロットはキャビティの内部に位置するのではなくキャビティに近接して位置し、ハウジングの部分はキャビティからスロットを分離する。これらのハウジングの部分は、キャビティ内に挿入されて内部のコンタクトに接続され得る相手プラグ型コネクタの部分と第２のシェルとが係合するのを防止するものである。
米国特許第５，３９９，１０５号には、回路基板上に実装可能な重なったアレイを有するメモリカードコネクタが開示されるが、それにおいて、コンタクトは回路基板に接続される垂直曲げ型の接続部を含む。シュラウドの第１の導電性プレートは２つの重ねられたコネクタ及び各々のコンタクトアレイを分離し、相手メモリカードの一つのシールドに係合されるためにカード受容キャビティ内にばね指を含み、シュラウドの第２の導電性プレートは、上側のコネクタの周囲に置かれ、第１のプレートに対して離間されて平行に置かれてそれに接続され、やはりもう一つのメモリカードのシールドに係合接続可能なばね指を含む。
更に欧州特許公開第０２６８４４１号に開示されるコネクタは、それぞれ接触部を含む指を有する、一対の絶縁インサートを含む導電性の外側シェルを備え、更に外側シェルに結合される接地構造を有し、その接地構造は嵌合面にコンタクトを電気的に絶縁するための絶縁指を受容するためにＵ字形状の溝を有する。
【発明の開示】
改良された小型寸法の電気コネクタにして、キャビティ内の電気コンタクトに嵌合され得るそれぞれのプラグに係合するために多数のプラグ受容キャビティ内に延びるシールドを備える電気コネクタを提供することが望ましい。
本発明は、シールド型電気コネクタに関し、キャビティ内の電気コンタクトに嵌合し得るそれぞれのプラグに係合する多数のプラグ受容キャビティ内に導電性シェルが延びることによって小型寸法が実現される電気コネクタに関する。本発明によれば、従来の電気コネクタに比較して部品数が減らされ、これにより組立が簡略化され、製造コストが低減される。
本発明の利点は、多数のプラグ受容キャビティを完全に囲むシールドに関し、そのシールドは外側シェルに係合する第２のシェルを含み、その第２のシェルは小型の構成を実現するために多数のプラグ受容キャビティ内に延びる。
本発明の実施形態によれば、シールド型電気コネクタは絶縁ハウジング、そのハウジングを包囲する導電性外側シェル、電気的シールドを実現するために外側シェルに係合される第２の導電性シェルを有し、ハウジングの多数のプラグ受容キャビティ内には電気コンタクトが延び、第２のシェルはプラグ受容キャビティ内に受容されるプラグ型電気コネクタと嵌合するプラグ受容キャビティの各々の内側を延びる。
【発明を実施するための形態】
以下に添付図面を参照して、本発明の好適実施形態が示される。
図１乃至図４を参照すれば、電気コネクタ１は、絶縁ハウジング４のそれぞれのプラグ受容キャビティ３内の２列の電気コンタクト２、及びハウジング４を包囲する外側導電性シェル６と外側シェル６の内側でプラグ受容キャビティ３内の位置に置かれる第２の導電性シェル７とを含むシールド５を有する。例えばコネクタ１は、２つのプラグ受容キャビティ３を含むように示される。図４に破線又は点線で示されるように、それぞれのプラグ型電気コネクタ８は、コネクタ１に嵌合されるために各プラグ受容キャビティ３に挿入され得る。プラグコネクタ８の各々は絶縁オーバモールド１０から突出する導電性シェル９を有する。図示されないものの、プラグ型電気コネクタ８の各々は更にシェル９に囲まれる絶縁ハウジング、及びコネクタ１のそれぞれのプラグ受容キャビティ３に挿入されてコネクタ１のコンタクト２に係合されて電気的に接続されるハウジング内の相手電気コネクタを有する。相手プラグ型電気コネクタ８の従来の構造は米国特許第５，０１７，１５６号及び米国特許第５，２６７，８８２号に開示される。
図５、図７、及び図１０を参照すれば、ハウジング４は一体的にモールドされたプラスチックの構成から成る。ハウジングの隔壁１１は２つのプラグ受容キャビティ３間で前方に延び、その背中合わせの面は各プラグ受容キャビティ３に面する。キャビティ３は類似の形状を有し、一方のキャビティ３の形状は他方のキャビティ３の形状に対して反転した向きとされる。隔壁１１に平行な第２の隔壁１２は、それぞれのプラグ受容キャビティ３を２つの部分に分離し、各キャビティはシェル受容キャビティ部１３とコンタクト受容キャビティ部１４とに分離される。
図８及び図９を参照すれば、電気コンタクト２が開示される。各コンタクト２は一体の構造となるよう金属から打ち抜き折り曲げ形成される。湾曲した接触部１６が形成される片持ち梁状のばね１５は、下方に曲げ形成される細長端子１７から前方に延長される。図８に示されるコンタクト２の端子部１７は図９に示されるコンタクト２の比較的短い端子部１７よりも長く形成される。ばね１５の後方の広幅の固定部１８は突縁を有する。端子部１７の広幅の固定部１９は突縁を有する。
図７及び図１０を参照すると、多数のコンタクト受容通路２０がハウジングの後側から前方に延長され、上列及び下列を有するよう配置される。広幅のスロット２１は各通路２０の頂側に沿って延びる。より長いコンタクト２は上側の列の各通路２０を延び、より短いコンタクト２は下側の列の各通路２０に沿って延びる。コンタクト２の広幅部分１８は、各スロット２１に圧入係合されて、コンタクト２を制止する。
各通路２０の下側には、対応するコンタクト位置決めプレート２２がハウジングの他の部分から後方に突出する。細長の端子受容スロット２３は、コンタクト位置決めプレート２２の各々の後側に形成される。上側のプレート２２のスロット２３は、下側のプレート２２の各スロット２３に位置合わせされる。コンタクト２の端子１７は各通路２０から後方に延び、対応するスロット２３を通して下側に延長される。コンタクト２のより短い端子部１７は下側のプレート２２の対応スロットを通して延び、より長い端子部１７は両プレート２２のスロット２３を通して延びる。このように下側プレート２２の各スロット２３は２つの端子１７を受容する。よって、端子１７は図示されない回路基板の開口を通して実装されるためにプレート２２によって位置合わせされる。各端子部１７の広幅部１９は下側プレート２２の対応スロット２３内に圧入され、端子１７を移動しないように保持する。
図４及び図１３によれば、各電気コンタクト２上の湾曲接触部１５は通路２０に沿って延びる。通路２０は各プラグ受容キャビティ３に開口し、それぞれの隔壁１２に沿って溝を形成する。接触部１５は溝に沿って延びコンタクト受容キャビティ１４に面する。
図４、図６、図１０及び図１２によれば、第２の導電性シェル７は厚さを有する金属シートの打ち抜き折り曲げにより形成される一体構造を成し、よって金属シートの厚さは第２のシェル７の板厚を形成する。第２のシェル７は、曲げられた角部２５で各ウエブ２６に結合される離間されたプレート２４を含み、ウエブ２６はプレート２４から横方向に延びる。開いたシーム２７は対応するプレート２４からウエブ２６の一つを分離する。プレート２４は図４及び図７に示すようにハウジング４内に離間されたスロット２８に沿って摺動して装着される。スロット２８はハウジング４内を後から前へと延びる。図２に示されるように、第２のシェル７は上列のコンタクト２の端子部１７より前方に位置する。このように、第２のシェル７はコンタクト２がハウジング４に組み立てられる前にハウジング４に組み付けられる。片持ち梁状ラッチ指２９は各プレート２４に後方に向けて突出し、プレート２４の板厚方向に打ち出される。プレート２４が離間されたスロット２８に沿って挿入されるとき、ラッチ指２９は弾性的に撓み、各スロット２８に受容されるとき外方に戻される。ラッチ指２９は図４及び図１２に示すように各スロット２８内で後壁３０に面し、第２のシェル７のハウジング４に対する後方への移動を阻止する。
第２のシェル７のプレート２４は、ハウジング４の隔壁１１に沿って摺動して装着され、それに沿って位置決め固定される。更に、第２のシェル７のプレート２４は、隔壁１１の背中合わせの面上を延びる。片持ち梁状ばね指３１は各プレート２４から前方に突出する。第２のシェル７上のばね指３１はプレート２４から前方に延びて、各プラグ受容キャビティ３内を延長され、プラグ受容キャビティ３内に受容される各プラグ型電気コネクタ８に係合される。ばね指３１の各々は隔壁１１に窪んで形成された対応する窪み部３３内を延びる湾曲端部３２を有する。端部３２は対応するプラグ受容キャビティ３に沿って延び、プラグ受容キャビティ３内に受容される各プラグ型電気コネクタ８に接触すべく、対応するプラグ受容キャビティ３に沿って延びる。第２のシェル７のばね指３１は、各プラグ受容キャビティ３内の電気コンタクト２とともに各プラグ受容キャビティ３内を延び、これによりプラグ受容キャビティ３に受容されるためのプラグ型電気コネクタ８は、第２のシェル７のばね指３１及び電気コンタクト２に係合接続される。
図４によれば、各プラグ型電気コネクタ８は対応する接触部１４に入り、対応するコンタクト列内のコンタクト１５に接触する。プラグ型電気コネクタ８の導電性シェル９は、接触部１４及び同じプラグ受容キャビティ１３の対応するシェル受容部１３に入る。
図２、図３、図１１及び図１２によれば、導電性を有する外側シェル６は厚さを有する金属シートの打ち抜き折り曲げにより形成される一体構造を成し、よって金属シートの厚さは外側シェル６の板厚を形成する。外側シェル６は曲げられた角部３５で結合される４つの壁３４を有し、壁３４の一つは開いたシーム３６で分離される。４つの壁３４は外側シェルの開口前端を囲むよう形成され、各壁３４上の外方に曲げられたリップ３７が前端に近接して置かれる。
ハウジング４及び外側シェル６は、図２及び図３の如くラッチ３８によりラッチ係合されるが、ラッチ３８はくさび形状に突出するハウジング４の突起４０を受容するために外側シェル６の対応壁３４に開口３９を有する。突起４０は前から後の方向に傾斜し、よって突起４０は外側シェル６の開口後端に押し入れられ、対応壁３４の開口３９にラッチ係合される。
スロット開口４１は、図２及び図３の如く対応する対向壁３４を後から前に延び、外側シェル６の開口後端に連通する。ハウジング４の対向壁から突出する細長リブ４２は、ハウジング４に対する外側シェル６の回動を防止すべくスロット開口４１に沿って延びる。リブ４２は、ハウジング４が開口後端に挿入されるときに後からスロット開口４１に入れられる。
外側シェル６の４つの壁３４は、外側シェル６の開口後端を囲むよう置かれる。図１１に示すように、シーム３６によって分離される壁３４は、後側開口４３を有する。開口４３を形成するために金属を切除するのでなく、開口４３を形成するために除去されるべき金属は、開口４３に位置合わせされる細長電気端子部４４とされる。端子部４４は対応する対向壁３４に結合され、それらから突出する。端子部４４はコネクタ１が実装されるための図示されない回路基板の開口に接続される。図４及び図５に示すように、ハウジング４上の肩４５は前方に面し、開口４３に受容され、ハウジング４が外側シェル６に対して前方に移動するのが阻止される。ハウジング４は肩４５がハウジング４３の端に面するまで外側シェル６の開口後端内に挿入される。
外側シェル６の４つの壁３４の各々のばね指４６は、外側シェル６の開口前端に近接する。各ばね指４６は、外側シェル６内部へと突出する湾曲片４７を含む片持ち梁状ビームとされる。対応する対向壁３４上のばね指４６は前から後へと延びる。対応する他の対向壁３４部分のばね指４６は後から前へと延びる。各ばね指４６は外側シェル６の板厚から曲げ出され、壁３４の内側に突出される。図４を参照すれば、分離された壁３４のばね指４６は、前方に面し、対応するプラグ受容キャビティ３に沿って、コンタクト受容部１４に沿って延びる。対向壁３４のばね指４６は、他のプラグ受容キャビティ３のシェル受容部１３に受容されるが、シェル受容部１３は外側シェル６とハウジング４の対応する外側壁との間に位置する。図４及び図１３に示されるように、シェル受容凹部１３は各隔壁１２の側部上に延びる。分離された壁を結合する２つの壁３４の各々のばね指４６は、シェル受容凹部１３に沿って延び、更に各隔壁１２の側部を延びる。ばね指４６は、プラグ型電気コネクタ８がコネクタ１に嵌合されるためにプラグ受容キャビティ３内に受容されるとき、各プラグ型電気コネクタ８のシェル９に係合する。このように、外側シェル６及び第２のシェル７の互いの係合、及びプラグコネクタ８の各シェル９との係合により電気接続が効果的に行われる。
図２、図３、図１０及び図１２によれば、第２のシェル７はハウジングの凹部４８を橋渡しするように置かれる。外側シェル６は凹部４８内に突出し、第２のシェル７に係合する。更に詳細には、外側シェル６の各側壁３４上の追加のばね指４９が外側シェル６の後端に近接し、ばね指４６に類似の構造を有するよう設けられる。外側シェル６の追加のばね指４９は、第２のシェル７上の各ウエブ２６に係合するようハウジング４の凹部４８内に延出し、これにより第２のシェル７は外側シェル６に係合し、両者間の電気接続を実現できる。
本発明の効果は、多数のプラグ受容キャビティを完全に囲むシールドにあり、そのシールドは外側シェルに係合する第２のシェルを有し、第２のシェルは小型の構成を実現するために多数のプラグ受容キャビティ内部に延びる。
他の効果はシールドにあり、それは外側シェルに係合接続される第２のシェルを有し、外側シェルと第２のシェルの両方はコネクタの多数のプラグ受容キャビティの各々の内部を延び、外側シェル及び第２シェルの両方がプラグ受容キャビティに受容される電気プラグコネクタの各々に係合接続可能とされる。
【図面の簡単な説明】
【図１】部品が互いに分解された電気コネクタの斜視図である。
【図２】図１のコネクタを後方より見た斜視図である。
【図３】図１のコネクタを前方より見た斜視図である。
【図４】図１のコネクタを側方より見たコネクタの断面図であり、２つの嵌合されるプラグ型電気コネクタが破線で示さる。
【図５】図１に示されるコネクタの部品である絶縁ハウジングの斜視図である。
【図６】図１に示されるコネクタの部品である第２のシェルの斜視図である。
【図７】図５に示されるハウジングを後方より見た斜視図である。
【図８】図１に示されるコネクタの部品である導電性電気コンタクトの斜視図である。
【図９】図１に示されるコネクタの部品である導電性電気コンタクトの斜視図である。
【図１０】図５に示されるハウジングを後方から見た斜視図であり、図８及び図９のコンタクトが共に示さる。
【図１１】図１に示されるコネクタの部品である外側の導電性シェルを前方から見た斜視図である。
【図１２】図１に示されるコネクタを頂側から見た断面図であり、ハウジングのプラグ受容キャビティ内に第２のシェルを示す。
【図１３】図１に示されるコネクタを頂側から見た断面図であり、ハウジングのプラグ受容キャビティ内にコンタクトの列を示す。
【図１】
0003836512.tif 000002
【図２】
0003836512.tif 000003
【図３】
0003836512.tif 000004
【図４】
0003836512.tif 000005
【図５】
0003836512.tif 000006
【図６】
0003836512.tif 000007
【図７】
0003836512.tif 000008
【図８】
0003836512.tif 000009
【図９】
0003836512.tif 000010
【図１０】
0003836512.tif 000011
【図１１】
0003836512.tif 000012
【図１２】
0003836512.tif 000013
【図１３】
0003836512.tif 000014